(57)【特許請求の範囲】
【請求項１】
テレビジョン放送の受信機能を有するチューナおよび追いかけ録画機能が内蔵されたビデオサーバと、
ネットワークを介して上記ビデオサーバに接続された複数のテレビジョン受像機と、
上記複数のテレビジョン受像機に対する操作指令により上記ビデオサーバから供給される情報を視聴可能とするリモートコントローラと
で構成され、
各々の上記テレビジョン受像機は、
上記ビデオサーバから上記ネットワークを介して送信されるテレビジョン放送の映像を再生しているときに、上記リモートコントローラからテレビ切替命令が送信されたことに応じて、上記テレビ切替命令を上記ネットワークを介して上記ビデオサーバに伝達する処理と、
上記リモートコントローラから電源オン命令が送信されたことに応じて、上記電源オン命令を上記ネットワークを介して上記ビデオサーバに伝達する処理と
を行い、
上記ビデオサーバは、
上記複数のテレビジョン受像機のうちのあるテレビジョン受像機にテレビジョン放送の映像を送信しているときに、上記あるテレビジョン受像機から上記テレビ切替命令が上記ネットワークを介して伝達されたことに応じて、上記送信しているテレビジョン放送の映像の録画を開始する処理と、
上記録画を開始した後、上記複数のテレビジョン受像機のうちの上記あるテレビジョン受像機とは別のテレビジョン受像機から上記電源オン命令が上記ネットワークを介して伝達されたことに応じて、上記録画を開始したテレビジョン放送の映像の再生し、再生した映像を上記ネットワークを介して上記別のテレビジョン受像機に送信する処理と
を行う
リモートコントロールシステム。
【請求項２】
請求項１記載のリモートコントロールシステムにおいて、
上記ビデオサーバは、上記録画を開始したテレビジョン放送の映像の再生中も、上記録画を継続する
リモートコントロールシステム。
【発明の詳細な説明】
【０００１】
【発明の属する技術分野】
本発明は、リモートコントローラからの指令に基づいてネットワークに接続されたビデオサーバおよび複数のテレビジョン受像機に処理を行わせるリモートコントロールシステムに関するものである。
【０００２】
【従来の技術】
従来、家庭電化製品などの電子装置の操作は、各装置ごとにリモートコントローラを操作して制御するようにしていて、各装置ごとの操作は各々独立していた。
【０００３】
また、ＩＥＥＥ１３９４規格のシリアルインターフェースにより接続された装置同士の操作は連動することが可能になりつつある状況であるが、接続された装置間の一定の制御情報のみがやりとり可能な状況であった。
【０００４】
また、特開平１０−２３０３０号公報には、情報を無線によって送受信する端末装置自体にリモートコントローラを付属して、利用者が部屋を変える毎に呼び設定動作を行う必要がなくなる通信システムおよびその方法が開示されている。
【０００５】
【発明が解決しようとする課題】
しかし、従来、リモートコントローラを用いて装置を制御した際の操作内容や現在視聴中のテレビジョン受像機のチャンネル番号などの環境情報は装置間では継承されないため、同様の情報内容および操作内容でユーザーが使用する装置を変えた場合や、テレビジョン受像機において再度チャンネル選択を行う場合や、ビデオテープレコーダにおいてビデオテープを移動する場合などに操作性が低下するという不都合があった。
【０００６】
また、特開平１０−２３０３０号公報記載の通信システムおよびその方法では、リモートコントローラにより情報を送受信する端末装置の経路を変えることのみが開示されているが、端末装置自体にリモートコントローラを付属する必要があり、リモートコントローラ自体を持ち歩いて環境情報を継承することができないという不都合があった。
【０００７】
そこで、本発明は、かかる点に鑑みてなされたものであり、リモートコントローラを用いて装置を制御する際に、操作性を向上し環境情報を継承することができるリモートコントロールシステムを提供することを課題とする。
【０００８】
【課題を解決するための手段】
本発明のリモートコントロールシステムは、
テレビジョン放送の受信機能を有するチューナおよび追いかけ録画機能が内蔵されたビデオサーバと、
ネットワークを介して上記ビデオサーバに接続された複数のテレビジョン受像機と、
上記複数のテレビジョン受像機に対する操作指令により上記ビデオサーバから供給される情報を視聴可能とするリモートコントローラと
で構成され、
各々の上記テレビジョン受像機は、
上記ビデオサーバから上記ネットワークを介して送信されるテレビジョン放送の映像を再生しているときに、上記リモートコントローラからテレビ切替命令が送信されたことに応じて、上記テレビ切替命令を上記ネットワークを介して上記ビデオサーバに伝達する処理と、
上記リモートコントローラから電源オン命令が送信されたことに応じて、上記電源オン命令を上記ネットワークを介して上記ビデオサーバに伝達する処理と
を行い、
上記ビデオサーバは、
上記複数のテレビジョン受像機のうちのあるテレビジョン受像機にテレビジョン放送の映像を送信しているときに、上記あるテレビジョン受像機から上記テレビ切替命令が上記ネットワークを介して伝達されたことに応じて、上記送信しているテレビジョン放送の映像の録画を開始する処理と、
上記録画を開始した後、上記複数のテレビジョン受像機のうちの上記あるテレビジョン受像機とは別のテレビジョン受像機から上記電源オン命令が上記ネットワークを介して伝達されたことに応じて、上記録画を開始したテレビジョン放送の映像の再生し、再生した映像を上記ネットワークを介して上記別のテレビジョン受像機に送信する処理と
を行うものである。
【００１３】
従って本発明によれば、以下の作用をする。
ユーザーが、複数のテレビジョン受像機のうちのある第１のテレビジョン受像機によりある第１の放送チャンネルの映像を視聴していたときに、リモートコントローラと共に第１のテレビジョン受像機に対する指令受信位置（例えば、第１の部屋）から別の第２のテレビジョン受像機に対する指令受信位置（例えば、第２の部屋）へ移動する場合を考える。
【００１４】
この場合、ユーザーは、テレビ切替の操作のためにリモートコントローラによりテレビ切替命令を第１のテレビジョン受像機へ送信する。
【００１５】
すると、テレビ切替命令は第１のテレビジョン受像機からネットワークを介してビデオサーバに伝達される。
【００１６】
そして、ビデオサーバが、ユーザーが第１のテレビジョン受像機により鑑賞中であった第１の放送チャンネルの映像の録画を開始する。
【００１７】
その後、ユーザーがリモートコントローラと共に第１のテレビジョン受像機に対する指令受信位置（例えば、第１の部屋）から第２のテレビジョン受像機に対する指令受信位置（例えば、第２の部屋）へ移動する。そして、ユーザーが、電源オンの操作のためにリモートコントローラにより電源オン命令を第２のテレビジョン受像機へ送信する。
【００１８】
すると、電源オン命令は第２のテレビジョン受像機からネットワークを介してビデオサーバに伝達される。
【００１９】
そして、ビデオサーバが、録画を開始した第１の放送チャンネルの映像を再生し、再生した映像を第２のテレビジョン受像機に送信することにより、ユーザーが第１のテレビジョン受像機により鑑賞中であった第１の放送チャンネルの映像のつづきが、第２のテレビジョン受像機により再生される。
【００２０】
これにより、ユーザーは、リモートコントローラを持ち歩くことにより、場所に依存せず、且つ移動時間を意識せずに、テレビジョン放送の映像情報を連続して視聴することが可能となる。
【００２１】
【発明の実施の形態】
以下に、本発明の実施の形態を説明する。
本実施の形態のリモートコントロールシステムは、相互に接続されるホームネットワーク内のＡＶ（Ａｕｄｉｏ  Ｖｉｄｅｏ）機器等を制御するためのＩＤ（Ｉｄｅｎｔｉｆｉｃａｔｉｏｎ）が付されたリモートコントローラを、ユーザーが各個人毎に保有し、リモートコントローラを用いて操作命令を発したユーザー個人を特定し、ネットワーク内で場所を移動してリモートコントローラを操作した場合も、移動前の環境を継承するものである。
【００２２】
図１は、本実施の形態が適用されるリモートコントロールシステムのシステム構成例を示す図である。
図１において、リモートコントロールシステムは、情報源となるビデオサーバ１と、ビデオサーバ１に接続されたネットワーク２と、ネットワーク２を介してビデオサーバ１に接続された第１のテレビジョン受像機３と、ネットワーク２を介してビデオサーバ１に接続された第２のテレビジョン受像機４と、第１のテレビジョン受像機３または第２のテレビジョン受像機４に対する操作指令によりビデオサーバ１から供給される情報を視聴可能とするリモートコントローラ５とを有して構成される。
【００２３】
ここで、ビデオサーバ１は、第１のテレビジョン受像機３または第２のテレビジョン受像機４を介して、リモートコントローラ５からの指令を受信する受信手段と、指令を受信したときに、リモートコントローラ５の第１のテレビジョン受像機３または第２のテレビジョン受像機４に対する指令受信位置を認識する位置認識手段と、リモートコントローラ５および第１のテレビジョン受像機３または第２のテレビジョン受像機４の環境を認識する環境認識手段とをそれぞれ備えている。
【００２４】
また、ビデオサーバ１は、複数のリモートコントローラ５に識別符号ＩＤを付すようにしてもよい。
【００２５】
また、ビデオサーバ１は、環境認識手段して、リモートコントローラ５が第１のテレビジョン受像機３に対する指令受信位置から第２のテレビジョン受像機４に対する指令受信位置へ移動した後において、移動前の環境を継承する機能を有している。
【００２６】
また、ビデオサーバ１は、モートコントローラ５が移動前の操作内容および第１のテレビジョン受像機３または第２のテレビジョン受像機４の環境を記憶する機能を有している。
【００２７】
また、ビデオサーバ１は、リモートコントローラ５からの指令に基づいて第１のテレビジョン受像機３または第２のテレビジョン受像機４に対する処理を停止した際に、リモートコントローラ５が移動後の操作内容および第１のテレビジョン受像機３または第２のテレビジョン受像機４の環境を継続して記憶する機能を有している。
【００２８】
また、ここでは説明の都合上、第１のテレビジョン受像機３は第１の部屋に設置され、第２のテレビジョン受像機４は第１の部屋におけるリモートコントローラ５からの指令が受信されない例として、第２の部屋に設置されているものとする。
【００２９】
このように構成されたリモートコントロールシステムは、以下のような動作をする。
図２は、動作を示す時系列チャートである。
図２において、最も左の縦列がユーザーの動作を示し、次に左の縦列はリモートコントローラ５の動作を示し、次の中央の縦列は第１および第２のテレビジョン受像機３、４の動作を示し、最も右側の縦列はビデオサーバ１の動作を示すものである。ここで、第１および第２のテレビジョン受像機３、４の動作において、途中で、リモートコントローラ５からの指令の出力先が第１のテレビジョン受像機３から第２のテレビジョン受像機４へ変更されたことを示している。
【００３０】
図２において、Ｔ１時点において、ユーザーが第１のテレビジョン受像機３に対して再生命令Ｃ１により、ビデオサーバ１内に記録されている映像情報の再生を指示すると、第１のテレビジョン受像機３は再生命令Ｃ１を受信して、ネットワーク２を介してビデオサーバ１に再生命令Ｃ１’を伝達する。
【００３１】
Ｔ１’時点において、ビデオサーバ１は第１のテレビジョン受像機３からの再生命令Ｃ１’を受信したたため、第１の再生映像Ｖ１を第１のテレビジョン受像機３へ送信し、Ｔ１''時点において、第１のテレビジョン受像機３は第１の再生映像Ｖ１を再生して表示する。
【００３２】
Ｔ２時点において、ユーザーが一時停止の操作のためリモートコントローラ５により一時停止命令Ｃ２を第１のテレビジョン受像機３へ送信すると、一時停止命令Ｃ２’は第１のテレビジョン受像機３からネットワーク２を介してビデオサーバ１に伝達され、第１の再生映像Ｖ１の送信が停止される。このとき、ビデオサーバ１は、Ｔ２’時点で一時停止命令の発信元（リモートコントローラ５）と停止映像名、停止時間を記憶しておく。
【００３３】
Ｔ３時点において、ユーザーがリモートコントローラ５と共に第１のテレビジョン受像機３に対する指令受信位置（例えば、第１の部屋）から第２のテレビジョン受像機４に対する指令受信位置（例えば、第２の部屋）へ移動する。
【００３４】
Ｔ４時点において、ユーザーが停止解除の操作のためにリモートコントローラ５により停止解除命令Ｃ３を第２のテレビジョン受像機４へ送信すると、停止解除命令Ｃ３’は第２のテレビジョン受像機４からネットワーク２を介してビデオサーバ１に伝達される。
【００３５】
Ｔ４’時点において、ビデオサーバ１は、Ｔ２’時点で記憶しておいた一時停止命令の発信元（リモートコントローラ５）から、第２のテレビジョン受像機４を介して停止解除命令Ｃ３’が送信されてきたことを認識し、これにより、ユーザーがリモートコントローラ５と共に第１のテレビジョン受像機３に対する指令受信位置（例えば、第１の部屋）から第２のテレビジョン受像機４に対する指令受信位置（例えば、第２の部屋）へ移動したことを判断することができる。
【００３６】
Ｔ５時点において、ビデオサーバ１は、Ｔ２’時点で停止していた停止映像名と、停止時間からの第１の再生映像のつづきＶ２を第２のテレビジョン受像機４へ送信し、第２のテレビジョン受像機４は第１の再生映像のつづきＶ２を再生して表示する。ここで、ビデオサーバ１は、一時停止命令の発信元（リモートコントローラ５）からの停止解除命令Ｃ３’が送信されてきた第２のテレビジョン受像機４へ停止時間からの第１の再生映像のつづきＶ２として再生を開始する。
【００３７】
これにより、ユーザーは、リモートコントローラ５を持ち歩くことにより、場所に依存せずに映像情報を連続して視聴することが可能となる。
【００３８】
なお、上述した例では、ビデオ再生の場合を示したため、ビデオサーバ１は、映像名と停止位置を記憶して継承するようにしたが、これに限らず、テレビジョン放送の受信機能を有するチューナからのチャンネル番号などの、ユーザーが選択可能な環境の継承を対象とするようにしても良い。
【００３９】
図３は、他の動作を示す時系列チャートである。
図３は、図１に示したリモートコントロールシステムのビデオサーバ１内に、テレビジョン放送の受信機能を有するチューナと、いわゆる追いかけ録画（ＨＤＤ（Ｈａｒｄ  Ｄｉｓｃ  Ｄｒｉｖｅ）などを記憶媒体にしている録画装置で、現在の画像を録画しながら、同一ファイルの録画部分を再生すること）機能が内蔵されている場合の例を示す。
【００４０】
Ｔ１１’時点において、ビデオサーバ１に内蔵されているチューナにより、第１の地上波Ｖ１１が受信されて、第１の地上波Ｖ１１の映像が第１のテレビジョン受像機３に送信されて第１の地上波Ｖ１１の映像が再生される。Ｔ１１時点において、ユーザーが第１のテレビジョン受像機３により第１の地上波Ｖ１１の映像を鑑賞中である。
【００４１】
ここで、ユーザーが第１のテレビジョン受像機３により第１の地上波Ｖ１１の映像を視聴していたときに、ユーザーがリモートコントローラ５と共に第１のテレビジョン受像機３に対する指令受信位置（例えば、第１の部屋）から第２のテレビジョン受像機４に対する指令受信位置（例えば、第２の部屋）へ移動する場合を考える。
【００４２】
この場合では、ビデオサーバ１は第１の地上波Ｖ１１の映像のチャンネル番号のみを記憶し、ユーザーがリモートコントローラ５と共に第２のテレビジョン受像機４に対する指令受信位置（例えば、第２の部屋）へ移動した場合に同じチャンネル番号の第１の地上波Ｖ１１の映像を移動後から続けて選択することができる。
【００４３】
そこで、Ｔ１２時点において、ユーザーはテレビ切替の操作のためにリモートコントローラ５によりテレビ切替命令Ｃ１１を第１のテレビジョン受像機３へ送信すると、テレビ切替命令Ｃ１１’は第１のテレビジョン受像機３からネットワーク２を介してビデオサーバ１に伝達される。
【００４４】
Ｔ１２’時点において、ビデオサーバ１は、Ｔ１１時点でユーザーが第１のテレビジョン受像機３により鑑賞中であった第１の地上波Ｖ１１の映像の録画を開始する。
【００４５】
Ｔ１３時点において、ユーザーがリモートコントローラ５と共に第１のテレビジョン受像機３に対する指令受信位置（例えば、第１の部屋）から第２のテレビジョン受像機４に対する指令受信位置（例えば、第２の部屋）へ移動する。
【００４６】
Ｔ１４時点において、ユーザーは電源オンの操作のためにリモートコントローラ５により電源オン命令Ｃ１２を第２のテレビジョン受像機４へ送信すると、電源オン命令Ｃ１２’は第２のテレビジョン受像機４からネットワーク２を介してビデオサーバ１に伝達される。
【００４７】
Ｔ１４’時点において、第２のテレビジョン受像機４からビデオサーバ１に対してリモートコントローラ５により電源投入の操作がされた旨の情報がビデオサーバ１に伝達される。
【００４８】
Ｔ１５時点において、ビデオサーバ１はＴ１２’時点でテレビ切替命令Ｃ１１’により、録画を開始した第１の地上波Ｖ１１の映像の再生を行うことにより、ビデオサーバ１は第１の地上波のつづきＶ１２の映像が第２のテレビジョン受像機４に送信されて第１の地上波のつづきＶ１２の映像が再生される。
【００４９】
これにより、ユーザーは、リモートコントローラ５を持ち歩くことにより、移動時間を意識せずに、映像情報を連続して視聴することが可能となる。
【００５０】
なお、Ｔ１５時点において、ビデオサーバ１は第１の地上波のつづきＶ１２の映像の再生中も、Ｔ１２’時点での第１の地上波Ｖ１１の映像の録画を継続することにより、画像が途切れることはなくなる。
【００５１】
上述した実施の形態では、単一のネットワークに接続された単一のビデオサーバ１を有するのみであるが、よりユーザーの嗜好を反映した映像情報の提供をするために、以下のようなリモートコントロールシステムを構成するようにしても良い。
【００５２】
図４は、他のリモートコントロールシステムのシステム構成例を示す図である。
図４に示すリモートコントロールシステムは、インターネットを介して異なる複数のネットワーク間でユーザーがリモートコントローラと共に移動した場合の例を示すものである。
【００５３】
図４において、ネットワーク３０Ａには、第１のローカルサーバ３１と、ターミナル１１と、ターミナル１２が接続される。第１のローカルサーバ３１にはテープ１を内蔵したＶＴＲ３３とリムーバブルハードディスク３５とが接続される。
【００５４】
また、ターミナル１１にはモニタ１１Ａおよびキー３７が接続され、ターミナル１２にはモニタ１２Ａが接続される。ターミナル１１、１２はセットトップボックスである。
【００５５】
ネットワーク３０Ｂには、第２のローカルサーバ３２、グローバルサーバ３６と、ターミナル２１と、ターミナル２２が接続される。第２のローカルサーバ３２にはＶＴＲ３４とリムーバブルハードディスク３２−１とが接続される。
【００５６】
また、ターミナル２１にはモニタ２１Ｂが接続され、ターミナル２２にはモニタ２２Ｂが接続される。ターミナル２１、２２はセットトップボックスである。
【００５７】
リモートコントローラ３８はネットワーク３０Ａにおいてターミナル１１に対する指令受信位置（例えば、第１の部屋）からターミナル１２に対する指令受信位置（例えば、第２の部屋）へ移動可能である。
【００５８】
また、リモートコントローラ３８はネットワーク３０Ａの領域からネットワーク３０Ｂの領域へ移動可能である。
【００５９】
リモートコントローラ３８はネットワーク３０Ｂにおいてターミナル２１に対する指令受信位置（例えば、第３の部屋）からターミナル２２に対する指令受信位置（例えば、第４の部屋）へ移動可能である。
【００６０】
このように構成された他のリモートコントロールシステムの動作を以下に説明する。
まず、ＶＴＲによる映像信号の再生動作について説明する。
ユーザーは、リモートコントローラ３８からのＶＴＲ３３の再生ボタンの操作によりネットワーク３０Ａの領域において、ターミナル１１に対して、テープ１を内蔵したＶＴＲ３３の再生命令を送信する。
【００６１】
ネットワーク３０Ａ内で、ターミナル１１から第１のローカルサーバ３１を介してＶＴＲ３３に再生命令が伝達される。ＶＴＲ３３は再生命令によりテープ１を再生する。ＶＴＲ３３で再生された再生映像信号は第１のローカルサーバ３１からターミナル１１を介してモニタ１１Ａに伝達され、モニタ１１Ａは再生映像信号による映像を表示する。
【００６２】
これにより、ユーザーはネットワーク３０Ａの領域のターミナル１１に対する受信指令位置（例えば、第１の部屋）において、ＶＴＲ３３で再生されたテープ１の再生映像信号による映像を視聴することができる。
【００６３】
ここで、ユーザーが、ネットワーク３０Ａの領域からネットワーク３０Ｂの領域へ移動することを考える。この場合、ユーザーはリモートコントローラ３８からのＶＴＲ３３で再生されたテープ１の再生の停止ボタン、および記憶ボタンの操作によりネットワーク３０Ａの第１のローカルサーバ３１に、停止時点の再生機器とタイムコードとが記録される。
【００６４】
この第１のローカルサーバ３１における記録内容は、テーブル４０に示すように、ソース機器４１の欄に４３として「ＶＴＲ１」３３が記録され、ロケーション４２の欄に４６として「ｔａｐｅ１：０１：０５：２３」が記録される。
【００６５】
ユーザーがＶＴＲ３３からテープ１を取り出して、テープ１とリモートコントローラ３８と共にネットワーク３０Ａの領域からネットワーク３０Ｂの領域へ移動し、ネットワーク３０Ｂの領域においてテープ１をＶＴＲ３４に装着する。
【００６６】
その後、ユーザーは、リモートコントローラ３８からのＶＴＲ３４の再生ボタンの操作によりネットワーク３０Ｂの領域において、ターミナル２１に対して、テープ１を内蔵したＶＴＲ３４の再生命令を送信する。
【００６７】
ネットワーク３０Ｂ内で、ターミナル２１から第２のローカルサーバ３２を介してＶＴＲ３４に再生命令が伝達される。ＶＴＲ３４は再生命令によりテープ１を再生する。
【００６８】
このとき、ＶＴＲ３４は移動前にネットワーク３０Ａの第１のローカルサーバ３１に記録されたテーブル４０における、ソース機器４１の欄のＶＴＲ４３についての、ロケーション４２の欄の「ｔａｐｅ１：０１：０５：２３」４６で示す時間に対応する映像信号のデータを再生する。
【００６９】
ＶＴＲ３４で再生された再生映像信号のつづきは第２のローカルサーバ３２からターミナル２１を介してモニタ２１Ｂに伝達され、モニタ２１Ｂは再生映像信号のつづきによる映像を表示する。
【００７０】
これにより、ユーザーはネットワーク３０Ｂの領域のターミナル２１に対する指令受信位置（例えば、第３の部屋）において、ＶＴＲ３４で再生されたテープ１の再生映像信号のつづきによる映像を視聴することができる。
【００７１】
次に、インターネットによる特定のＵＲＬ（Ｕｎｉｆｏｒｍ  Ｒｅｓｏｕｒｃｅ  Ｌｏｃａｔｏｒ）で示されるアドレスのサーバから供給される映像信号の再生について説明する。
ユーザーは、リモートコントローラ３８からの特定のＵＲＬで示されるアドレスのサーバに対する映像信号の再生ボタンの操作によりネットワーク３０Ａの領域において、ターミナル１１に対して、インターネット３９を介して特定のＵＲＬで示されるアドレスのサーバに対する映像信号の再生命令を送信する。
【００７２】
ネットワーク３０Ａ内で、ターミナル１１から第１のローカルサーバ３１およびインターネット３９を介して特定のＵＲＬで示されるアドレスのサーバに再生命令が伝達される。特定のＵＲＬで示されるアドレスのサーバは再生命令により映像信号を再生する。特定のＵＲＬで示されるアドレスのサーバで再生された再生映像信号は第１のローカルサーバ３１からターミナル１１を介してモニタ１１Ａに伝達され、モニタ１１Ａは再生映像信号による映像を表示する。
【００７３】
これにより、ユーザーはネットワーク３０Ａの領域のターミナル１１に対する指令受信位置（例えば、第１の部屋）において、インターネット３９を介して特定のＵＲＬで示されるアドレスのサーバで再生された再生映像信号による映像を視聴することができる。
【００７４】
ここで、ユーザーが、ネットワーク３０Ａの領域からネットワーク３０Ｂの領域へ移動することを考える。この場合、ユーザーはリモートコントローラ３８からの特定のＵＲＬで示されるアドレスのサーバで再生された再生映像信号の再生の停止ボタン、および記憶ボタンの操作によりネットワーク３０Ａの第１のローカルサーバ３１に、停止時点で再生映像信号がインターネット配信であることとインターネット上のサーバのＵＲＬとが記録される。
【００７５】
この第１のローカルサーバ３１における記録内容は、テーブル４０に示すように、ソース機器４１の欄に４４としてインターネット配信であることを示す「ＵＲＬ  Ｉ（Ｉｎｔｅｒｎｅｔ）」が記録され、ロケーション４２の欄に４７としてインターネット上のサーバのＵＲＬを示す「ｈｔｔｐ／／ｗｗｗ．・・・／・・・／・・・」が記録される。
【００７６】
ユーザーが、リモートコントローラ３８からの第１のローカルサーバ３１のアクセスボタンの操作により第１のローカルサーバ３１におけるテーブル４０に示す記録内容をリモートコントローラ３８に読み出して、リモートコントローラ３８と共にネットワーク３０Ａの領域からネットワーク３０Ｂの領域へ移動し、ネットワーク３０Ｂの領域において第２のローカルサーバ３２にテーブル４０に示す記録内容を記録する。
【００７７】
または、これに限らず、ユーザーが、リモートコントローラ３８からの第１のローカルサーバ３１のアクセスボタンの操作により第１のローカルサーバ３１におけるテーブル４０に示す記録内容を読み出してインターネット３９を介してグローバルサーバ３６に記録し、リモートコントローラ３８と共にネットワーク３０Ａの領域からネットワーク３０Ｂの領域へ移動し、ネットワーク３０Ｂの領域においてグローバルサーバ３６に記録されたテーブル４０に示す記録内容を読み出して第２のローカルサーバ３２にテーブル４０に示す記録内容を記録するようにしてもよい。また、テーブル４０に示す記録内容をリモートコントローラ３８に記録してもよい。
【００７８】
その後、ユーザーは、リモートコントローラ３８からの特定のＵＲＬで示されるアドレスのサーバに対する映像信号の再生ボタンの操作によりネットワーク３０Ｂの領域において、ターミナル２１に対して、特定のＵＲＬで示されるアドレスのサーバの映像信号の再生命令を送信する。
【００７９】
ネットワーク３０Ｂ内で、ターミナル２１から第２のローカルサーバ３２およびインターネット３９を介して特定のＵＲＬで示されるアドレスのサーバに再生命令が伝達される。特定のＵＲＬで示されるアドレスのサーバは再生命令により映像信号を再生する。
【００８０】
このとき、特定のＵＲＬで示されるアドレスのサーバは移動前にネットワーク３０Ａの第１のローカルサーバ３１に記録されたテーブル４０における、ソース機器４１の欄のインターネット配信の「ＵＲＬ  Ｉ（Ｉｎｔｅｒｎｅｔ）」４４について、ロケーション４２の欄のインターネット上のサーバのＵＲＬの「ｈｔｔｐ／／ｗｗｗ．・・・／・・・／・・・」４７に対応する映像信号のデータを再生する。
【００８１】
特定のＵＲＬで示されるアドレスのサーバで再生された再生映像信号は第２のローカルサーバ３２からターミナル２１を介してモニタ２１Ｂに伝達され、モニタ２１Ｂは再生映像信号による映像を表示する。
【００８２】
これにより、ユーザーはネットワーク３０Ｂの領域のターミナル２１に対する指令受信位置（例えば、第３の部屋）において、特定のＵＲＬで示されるアドレスのサーバで再生された再生映像信号による映像を視聴することができる。
【００８３】
次に、ローカルネットワーク上の特定のＵＲＬで示されるアドレスのサーバから供給される映像信号の再生について説明する。
ユーザーは、リモートコントローラ３８からの特定のＵＲＬで示されるアドレスのサーバに対する映像信号の再生ボタンの操作によりネットワーク３０Ａの領域において、ターミナル１１に対して、特定のＵＲＬで示されるアドレスの第１のローカルサーバ３１に接続されたリムーバブルハードディスク３５に対する映像信号の再生命令を送信する。
【００８４】
ネットワーク３０Ａ内で、ターミナル１１から特定のＵＲＬで示されるアドレスの第１のローカルサーバ３１に再生命令が伝達される。特定のＵＲＬで示されるアドレスの第１のローカルサーバ３１は再生命令により第１のローカルサーバ３１に接続されたリムーバブルハードディスク３５に記録された映像信号を再生する。特定のＵＲＬで示されるアドレスの第１のローカルサーバ３１で再生された再生映像信号は第１のローカルサーバ３１からターミナル１１を介してモニタ１１Ａに伝達され、モニタ１１Ａは再生映像信号による映像を表示する。
【００８５】
これにより、ユーザーはネットワーク３０Ａの領域のターミナル１１に対する指令受信位置（例えば、第１の部屋）において、特定のＵＲＬで示されるアドレスの第１のローカルサーバ３１でリムーバブルハードディスク３５から再生された再生映像信号による映像を視聴することができる。
【００８６】
ここで、ユーザーが、ネットワーク３０Ａの領域からネットワーク３０Ｂの領域へ移動することを考える。この場合、ユーザーはリモートコントローラ３８からの特定のＵＲＬで示されるアドレスの第１のローカルサーバ３１でリムーバブルハードディスク３５から再生された再生映像信号の再生の停止ボタン、および記憶ボタンの操作によりネットワーク３０Ａの第１のローカルサーバ３１に、停止時点で再生映像信号がローカルネット配信であることとローカルネット上のサーバのＵＲＬとが記録される。
【００８７】
この第１のローカルサーバ３１における記録内容は、テーブル４０に示すように、ソース機器４１の欄に４５としてローカルネット配信であることを示す「ＵＲＬ  Ｌ（Ｌｏｃａｌ）」が記録され、ロケーション４２の欄に４８としてローカルネット上の第１のローカルサーバ３１に接続されたリムーバブルハードディスク３５のＵＲＬを示す「／／・・・／・・・／・・・」が記録される。
【００８８】
ユーザーが、リモートコントローラ３８からの第１のローカルサーバ３１のアクセスボタンの操作により第１のローカルサーバ３１におけるテーブル４０に示す記録内容をリモートコントローラ３８に読み出して、リモートコントローラ３８と共にネットワーク３０Ａの領域からネットワーク３０Ｂの領域へ移動し、ネットワーク３０Ｂの領域において第２のローカルサーバ３２にテーブル４０に示す記録内容を記録する。
【００８９】
または、これに限らず、ユーザーが、リモートコントローラ３８からの第１のローカルサーバ３１のアクセスボタンの操作により第１のローカルサーバ３１におけるテーブル４０に示す記録内容を読み出してインターネット３９を介してグローバルサーバ３６に記録し、リモートコントローラ３８と共にネットワーク３０Ａの領域からネットワーク３０Ｂの領域へ移動し、ネットワーク３０Ｂの領域においてグローバルサーバ３６に記録されたテーブル４０に示す記録内容を読み出して第２のローカルサーバ３２にテーブル４０に示す記録内容を記録するようにしてもよい。また、テーブル４０に示す記録内容をリモートコントローラ３８に記録してもよい。
【００９０】
その後、ユーザーは、リモートコントローラ３８からの特定のＵＲＬで示されるアドレスの第１のローカルサーバ３１に対してリムーバブルハードディスク３５に記録された映像信号の再生ボタンの操作によりネットワーク３０Ｂの領域において、ターミナル２１に対して、特定のＵＲＬで示されるアドレスの第１のローカルサーバ３１に接続されたリムーバブルハードディスク３５の映像信号の再生命令を送信する。
【００９１】
ネットワーク３０Ｂ内で、ターミナル２１から第２のローカルサーバ３２およびインターネット３９を介して特定のＵＲＬで示されるアドレスの第１のローカルサーバ３１に対してリムーバブルハードディスク３５に記録された映像信号の再生命令が伝達される。特定のＵＲＬで示されるアドレスのサーバは再生命令により映像信号を再生する。
【００９２】
このとき、特定のＵＲＬで示されるアドレスのサーバは移動前にネットワーク３０Ａの第１のローカルサーバ３１に記録されたテーブル４０における、ソース機器４１の欄のローカルネット配信の「ＵＲＬ  Ｌ（Ｌｏｃａｌ）」４５について、ロケーション４２の欄のローカルネット上のサーバのＵＲＬの「／／・・・／・・・／・・・」４８に対応する映像信号のデータを再生する。
【００９３】
特定のＵＲＬで示されるアドレスのサーバで再生された再生映像信号はインターネット３９および第２のローカルサーバ３２からターミナル２１を介してモニタ２１Ｂに伝達され、モニタ２１Ｂは再生映像信号による映像を表示する。
【００９４】
これにより、ユーザーはネットワーク３０Ｂの領域のターミナル２１に対する指令受信位置（例えば、第３の部屋）において、特定のＵＲＬで示されるアドレスのサーバで再生された再生映像信号による映像を視聴することができる。
【００９５】
なお、上述において、リモートコントローラ３８からの操作により、インターネットによる特定のＵＲＬで示されるアドレスのサーバに対する映像信号の再生、またはローカルネット上の特定のＵＲＬで示されるアドレスのサーバに対する映像信号の再生の際に、ローカルサーバ上にユーザーのチャンネル切替の情報や好んで視聴するチャンネル番号をテーブル４０に記録するようにしてもよい。
【００９６】
また、図４に示す他のリモートコントロールシステムによれば、よりユーザーの嗜好を反映した情報の再生を行うことができる。
【００９７】
なお、上述し図４に示した実施の形態では、ユーザーがリモートコントローラ３８と共にネットワーク３０Ａの領域からネットワーク３０Ｂの領域へ移動する場合について述べたが、これに限らず、ユーザーがリモートコントローラ３８と共にネットワーク３０Ｂの領域からネットワーク３０Ａの領域へ移動する場合についても同様に適用することがでることはいうまでもない。
【００９８】
次に、リモートコントローラ３８からの命令の信号フォーマットや具体的な操作手順について説明する。
図５は、送信コマンドフォーマット例および受信信号フォーマットを示す図である。図５Ａにおいて、送信コマンドフォーマット例５１は、制御コマンド５２と、ソース情報５３とを有して構成される。
【００９９】
送信の場合、制御コマンド５２については、既存の家電製品の電子機器と同様に、テレビジョン受像機の場合は電源のオン／オフや音量調節、チャンネル指定等のためのコマンドにコードを割り当てて機器の制御に使用する。
【０１００】
ソース情報５３が付加されない場合は、既存のリモートコントローラと同様に機器側に保存されたリジューム機能が動作して、以前の情報が有効となる。
【０１０１】
図５Ｂにおいて、受信信号フォーマット例５４は、制御コマンド５５と、ソース情報５６とを有して構成される。
【０１０２】
受信の場合、リモートコントローラ側から受け取った制御コマンド５５に応答して、機器からリモートコントローラが受信して記憶すべきコマンドをコードを割り当ててリモートコントローラ側で記憶する。
【０１０３】
図６は、ソース情報を示す図である。
図６において、ソース情報６１は、以下のように種別６２と対応するアドレス６３とを有して構成される。
【０１０４】
図６において、例えば、種別６２のＶＴＲ６４−１に対してアドレス６３のテープ番号およびタイムコード６４−２と、種別６２のＨＤＤ６５−１に対してアドレス６３のドライブ、ファイル名およびタイムコード６５−２と、種別６２のインターネット（ＩＮＴＥＲＮＥＴ）６６−１に対してアドレス６３のＵＲＬアドレス６６−２と、種別６２の放送波６７−１に対してアドレス６３のチャンネル番号６７−２とが設けられる。
【０１０５】
ソース情報６１については、制御コマンドに続いて、表示再生すべき情報のソースの種別６２と、状態を表すパラメータとしてのアドレス６３で構成され、ソースの種別６２とアドレス６３はペアで使用される。ソース情報が付加されていない場合は、機器側で保持しているリジューム機能が動作して、以前の情報が有効となる。
【０１０６】
図７は、操作手順とフォーマット例を示す図である。
リモートコントローラでは最後にアクセスしたソースの種別と、ソース種別毎に最終アクセスのアドレスとを以下のように記憶しておく。
【０１０７】
図７Ａ、Ｂは電源オン時の操作手順とフォーマット例７１を示している。
最終アクセスしたソース情報をリモートコントローラから送信し、機器はソース情報に基づいて入力ソースを選択してリジューム機能により機器側で保持する。
【０１０８】
図７Ａは、最後にインターネット上のサーバから供給される映像を視聴していた場合で機器の電源をオンするときの操作手順とフォーマット例を示す。
図７Ａにおいて、リモートコントローラでは、リモートコントローラからの制御コマンド７２として電源（送）７５と、ソース種別７３としてインターネット７６と、最終アクセスのアドレス７４として「ｈｔｔｐ：／／ｗｗｗ．ｙａｈｏｏ．ｃｏ．ｊｐ／」７７とを記憶する。
【０１０９】
図７Ｂは、最後にローカルサーバ内のＨＤＤ（Ｈａｒｄ  Ｄｉｓｃ  Ｄｒｉｖｅ）に記録されているｍｐｅｇ（ｍｏｖｉｎｇ  ｐｉｃｔｕｒｅ  ｅｘｐｅｒｔｓ  ｇｒｏｕｐ）２ファイルの映像を視聴していた場合で機器の電源をオンするときの操作手順とフォーマット例を示す。
【０１１０】
図７Ｂにおいて、リモートコントローラでは、リモートコントローラからの制御コマンド７２として電源（送）７８と、ソース種別７３としてＨＤＤ７９と、最終アクセスのアドレス７４として「Ｃ：￥ｍａｔｒｉｘ．ｍｐｅｇ２＝１：０１：２０（タイムコード）」８０とを記憶する。
【０１１１】
図８は、他の操作手順とフォーマット例を示す図である。
図８Ａ、図８Ｂ、図８Ｃは電源オフ時後に別の部屋で映像を視聴する場合の操作手順とフォーマット例８１を示している。
【０１１２】
ローカルサーバのＨＤＤ内に記録された映像信号を再生した映像を視聴していて、ローカルサーバのＨＤＤに対して電源を切る場合、リモートコントローラから電源オフの制御コマンドを発信し、機器からの返信として現在視聴していたソース情報をローカルサーバからリモートコントローラに戻し、リモートコントローラはソース情報を記憶する。ユーザーは、リモートコントローラを持って別の部屋に移動し、電源オンを指示すると、先の続きから視聴を開始することができる。
【０１１３】
図８Ａは、ユーザーが、リモートコントローラの電源ボタンを押したときにリモートコントローラから送出される制御コマンドである。
【０１１４】
図８Ａにおいて、リモートコントローラから機器へ、制御コマンド８２として電源（送）８５が送出される。
【０１１５】
図８Ｂは、機器からリモートコントローラへ現在のソース情報を送信した後に、機器が電源をオフにする場合の操作手順とフォーマット例である。
【０１１６】
図８Ｂにおいて、機器からリモートコントローラへ、制御コマンド８２として転送（受）８６と、種別８３としてＨＤＤ８７と、アドレス８４として「Ｃ：￥ｍａｔｒｉｘ．ｍｐｅｇ２＝１：０１：２０（タイムコード）」８８が返信される。
【０１１７】
図８Ｃは、ユーザーが、別の部屋に移動してテレビジョン受像機の電源をオンにしたときに、リモートコントローラに記憶している最終アクセスのソースに対してレジューム機能により再現して続きを視聴する場合の操作手順とフォーマット例である。
【０１１８】
図８Ｃにおいて、リモートコントローラから機器へ、制御コマンド８２として電源オン（送）８８と、種別８３としてＨＤＤ８７と、アドレス８４として「Ｃ：￥ｍａｔｒｉｘ．ｍｐｅｇ２＝１：０１：２０（タイムコード）」８８が送信される。
【０１１９】
図９は、ソース切り替えの例を示す図である。
図９Ａ，図９Ｂ，図９Ｃは、ユーザーが、インターネット上のサーバから供給される映像信号の映像を視聴していた場合で、所定の放送時間になったため、テレビジョン受像機による放送信号の受信に切り替える際にソース切り替えを行う際のソース切り替え例９１を示す。
【０１２０】
図９Ａは、ユーザーが、インターネット上のサーバから供給される映像信号の映像を視聴していて、リモートコントローラのテレビジョン受像機の受信ボタンを押すと、モニタ上の画面がインターネット受信画面からテレビジョン放送受信画面に切り替わる。この場合、以下に示すように、以前にリモートコントローラに記録しておいた放送波でのソース情報をレジューム機能により再現して衛星第１チャンネルが最初に送信される際のソース切り替え例９１である。
【０１２１】
図９Ａにおいて、リモートコントローラから機器へ、制御コマンド９２として切り替え（送）９５、種別９３として放送波９６、アドレス９４としてＢＳ１（衛星第１チャンネル）９７が送出される。
【０１２２】
図９Ｂは、機器からリモートコントローラへ、切り替え前にユーザーが視聴していた、インターネット上のサーバから供給される映像信号のソース情報を送信してリモートコントローラがこれを記憶する際のソース切り替え例９１である。
【０１２３】
図９Ｂにおいて、リモートコントローラでは、制御コマンド９２として転送（受）９８と、ソース種別９３としてインターネット９９と、アドレス９４として「ｈｔｔｐ：／／ｗｗｗ．ｙａｈｏｏ．ｃｏ．ｊｐ／」１００とを記憶する。
【０１２４】
図９Ｃは、ユーザーはテレビジョン放送受信による映像を見終わったので機器の電源をオフにする際のソース切り替え例９１である。
【０１２５】
図９Ｃにおいて、リモートコントローラから機器へ、制御コマンド９２として電源（送）１０１、種別９３として放送波１０２、アドレス９４としてＢＳ１（衛星第１チャンネル）１０３が送出される。
【０１２６】
図９Ｄは、機器からリモートコントローラへ、電源オフ時のソース情報が送られてきて、リモートコントローラがこれを記憶する際のソース切り替え例９１である。
【０１２７】
図９Ｄにおいて、リモートコントローラは機器から送られてきた、制御コマンド９２として転送（受）９８、種別９３として放送波１０２、アドレス９４としてＢＳ１（衛星第１チャンネル）１０３とを記憶する。
【０１２８】
図１０は、ソース切り替えの例を示す図である。
図１０Ａ、図１０Ｂ、図１０Ｃは、後日学校へ登校したときにユーザーが、インターネット上のサーバから供給される映像信号の映像のつづきを移動端末上で視聴する際のソース切り替え例１０１を示す。
【０１２９】
図１０Ａは、ユーザーが学校へ移動して端末の電源投入をしたときのソース切り替え例１０１である。
【０１３０】
図１０Ａにおいて、リモートコントローラから端末を介して機器へ、制御コマンド１０２として電源（送）１０５、種別１０３として放送波１０６、アドレス１０４としてＢＳ１（衛星第１チャンネル）１０７とが送出される。
【０１３１】
図１０Ｂは、ユーザーがリモートコントローラの「ＷＥＢ」ボタンを押したときに、端末のモニタ画面がインターネット受信画面に切り替わり、家で視聴していたインターネット上のサーバのアドレスに自動的にアクセスする際のソース切り替え例１０１である。
【０１３２】
図１０Ｂにおいて、リモートコントローラから端末を介して機器へ、制御コマンド１０２として切り替え（送）１０８と、ソース種別１０３としてインターネット１０９と、アドレス１０４として「ｈｔｔｐ：／／ｗｗｗ．ｙａｈｏｏ．ｃｏ．ｊｐ／」１１０とが送出される。
【０１３３】
図１０Ｃは、機器から端末を介してリモートコントローラへ、切り替え前にユーザーが視聴していた、インターネット上のサーバから供給される映像信号のソース情報を送信してリモートコントローラがこれを記憶する際のソース切り替え例１０１である。
【０１３４】
図１０Ｃにおいて、リモートコントローラは機器から端末を介して送られてきた、制御コマンド１０２として転送（送）１１１と、種別１０３として放送波１０８と、アドレス１０４としてＢＳ１（衛星第１チャンネル）１０７とを記憶する。
【０１３５】
図１１は、電源オン時の機器側のフローチャートである。
ステップＳ１で、機器はリモートコントローラからコマンドを受信する。ステップＳ２で、電源コマンドか否かを判断する。ステップＳ２で電源コマンドであるときは、ステップＳ３へ進み、現在のソース情報をリモートコントローラへ送信して、ステップＳ４で、電源をオフにする。
【０１３６】
ステップＳ２で電源コマンドでないときは、ステップＳ５へ進み、ソース切り替えコマンドか否かを判断する。ステップＳ５でソース切り替えコマンドのときは、ステップＳ６へ進み、現在のソース情報をリモートコントローラへ送信して、ステップＳ７で、ソース切り替えをする。
【０１３７】
ステップＳ５でソース切り替えコマンドでないときは、ステップＳ８へ進み、コマンドごとの処理を実行する。
【０１３８】
図１２は、電源オフ時の機器のフローチャートである。
ステップＳ１１で、機器はリモートコントローラからコマンドを受信する。ステップＳ１２で、電源コマンドか否かを判断する。ステップＳ１２で電源コマンドであるときは、ステップＳ１３へ進み、機器の電源をオンして、ステップＳ１４で、ソース情報に基づき機器のソース切り替えをする。
ステップＳ１２で電源コマンドでないときは、終了する。
【０１３９】
図１３は、リモートコントローラのボタン押下でのフローチャートである。
ステップＳ２１で、リモートコントローラのボタンが押されたことが検出される。ステップＳ２２で、電源ボタンか否かを判断する。
【０１４０】
ステップＳ２２で電源ボタンのときは、ステップＳ２３へ進み、最終アクセスのソース情報を機器へ送出する。
【０１４１】
ステップＳ２４で、機器からソース情報を返信されたか否かを判断する。ステップＳ２４で、機器からソース情報を返信されたときは、ステップＳ２５へ進み、最終アクセスのソース種別を更新記憶する。そして、ステップＳ２６で、ソース種別ごとのアドレスを更新記憶する。ステップＳ２４で、機器からソース情報を返信されないときは、終了する。
【０１４２】
ステップＳ２２で電源ボタンでないときは、ステップＳ２７へ進み、ソース切り替えボタンか否かを判断する。ステップＳ２７でソース切り替えボタンのときは、ステップＳ２８へ進み、切り替え後のソース情報を制御コマンドと共に機器へ送出する。そして、ステップＳ２９で、機器からソース情報を返信されたか否かを判断する。ステップＳ２９で、機器からソース情報を返信されたときは、ステップＳ３０で、ソース種別ごとのアドレスを更新記憶する。
【０１４３】
ステップＳ２７でソース切り替えボタンでないときは、ステップＳ３１へ進み、制御コマンドを機器に送出して終了する。ステップＳ２９で、機器からソース情報を返信されないときは、終了する。
【０１４４】
なお、上述したリモートコントローラは、例えば、赤外線や無線による送信部受信部と、制御部と記憶部とを有して構成され、ターミナルを介して、インターネット上のサーバやローカルサーバとの間で各種データの送信または受信を行うものであればよい。
【０１４５】
また、上述したターミナル１１、１２、２１、２２は、情報端末として、例えば、パーソナルコンピュータで構成しても良い。
【０１４６】
【発明の効果】
本発明によれば、ユーザーは、リモートコントローラを持ち歩くことにより、場所に依存せず、且つ移動時間を意識せずに、テレビジョン放送の映像情報を連続して視聴することが可能となるという効果を奏する。
【図面の簡単な説明】
【図１】本実施の形態が適用されるリモートコントロールシステムのシステム構成例を示す図である。
【図２】リモートコントロールシステムの動作を示す時系列チャートである。
【図３】リモートコントロールシステムの他の動作を示す時系列チャートである。
【図４】他のリモートコントロールシステムのシステム構成例を示す図である。
【図５】送信コマンドフォーマット例および受信信号フォーマット例を示す図であり、図５Ａは送信コマンドフォーマット例、図５Ｂは受信信号フォーマット例である。
【図６】ソース情報を示す図である。
【図７】操作手順とフォーマット例を示す図であり、図７Ａは最後にインターネットによる画面を見ていた場合で電源をオンにするとき、図７Ｂは最後にＨＤＤに入っているｍｐｅｇ２ファイルによる画面を見ていた場合で電源をオンにするときである。
【図８】他の操作手順とフォーマット例を示す図であり、図８Ａはリモートコントローラの電源ボタンを押すと制御コマンドを送出するとき、図８Ｂは機器からリモートコントローラへ現在のソース情報を送信した後に機器が電源オフとなるとき、図８Ｃはユーザーが別の部屋に移動してテレビジョン受像機の電源をオンにするときにリモートコントローラに記憶した最終アクセスしたソースの続きがレジューム機能により記憶されて続きを視聴するときである。
【図９】ソース切り替え例を示す図であり、図９Ａはインターネット受信画面からテレビジョン放送受信画面への切り替えのとき、図９Ｂは機器からリモートコントローラへ切り替え前にインターネットで受信していたソース情報を送信してリモートコントローラで記憶するとき、図９Ｃはテレジョン放送を見終わって電源をオフにするとき、図９Ｄは機器から電源オフ時のソース情報が送られてきてリモートコントローラで記憶するときである。
【図１０】他のソース切り替え例を示す図であり、図１０Ａは学校へ移動して端末の電源を投入するとき、図１０Ｂはリモートコントローラの「ＷＥＢ」ボタンを押してインターネット受信画面へ切り替わり家で見ていたアドレスに自動的にアクセスするとき、図１０Ｃ切り替え前のソース情報が機器から返信されてリモートコントローラで記憶するときである。
【図１１】電源オン時の機器側のフローチャートである。
【図１２】電源オフ時の機器側のフローチャートである。
【図１３】リモートコントローラのボタン押下でのフローチャートである。
【符号の説明】
１……ビデオサーバ、２……ネットワーク、３……テレビジョン受像機、４……テレビジョン受像機、５……リモートコントローラ、１１Ａ……モニタ、１１……ターミナル、１２……ターミナル、１２Ａ……モニタ、２１Ｂ……モニタ、２１……ターミナル、２２……ターミナル、２２Ｂ……モニタ、３０Ａ……ネットワーク、３１……ローカルサーバ１、３５……リムーバブルハードディスク、３３……ＶＴＲ１、３０Ｂ……ネットワーク、３２……ローカルサーバ２、３２−１……リムーバブルハードディスク、３４……ＶＴＲ２、３６……グローバルサーバ、３７……キー、３８……リモートコントローラ、３９……インターネット、４０……テーブル
【図１】
0004701523.tif 000002
【図２】
0004701523.tif 000003
【図３】
0004701523.tif 000004
【図４】
0004701523.tif 000005
【図５】
0004701523.tif 000006
【図６】
0004701523.tif 000007
【図７】
0004701523.tif 000008
【図８】
0004701523.tif 000009
【図９】
0004701523.tif 000010
【図１０】
0004701523.tif 000011
【図１１】
0004701523.tif 000012
【図１２】
0004701523.tif 000013
【図１３】
0004701523.tif 000014